(57)【特許請求の範囲】
【請求項１】
１本の第１光入力信号線及びＭ本（Ｍは２以上の任意の整数）の第１光出力信号線を有する光スターカプラと、
Ｍ本の第２光入力信号線及び１本の第２光出力信号線を有する光スイッチと、
各前記第１光出力信号線及び各前記第２光入力信号線にそれぞれ接続されるＭ個の第１合分波器と、
光バースト信号の送信タイミングを決定し、該光バースト信号が前記光スイッチに到達する時刻を算出するＯＬＴ制御部において算出された前記時刻に基づき、各前記第２光入力信号線に到着する前記光バースト信号のタイミングに合わせて前記光スイッチを制御する光スイッチ制御部とを備える
ことを特徴とする、アクティブ光スターカプラ装置。
【請求項２】
前記第１光入力信号線及び前記第２光出力信号線に接続される第２合分波器を備える
ことを特徴とする、請求項１に記載のアクティブ光スターカプラ装置。
【請求項３】
１本の第１光入力信号線及びＭ本（Ｍは２以上の任意の整数）の第１光出力信号線を有する光スターカプラと、
Ｍ本の第２光入力信号線及び１本の第２光出力信号線を有する光スイッチと、
各前記第１光出力信号線及び各前記第２光入力信号線にそれぞれ接続されるＭ個の第１合分波器と、
各前記第２光入力信号線に到着する光バースト信号のタイミングに合わせて前記光スイッチを制御する光スイッチ制御部とを備え、
各前記第２光入力信号線については、それぞれ、
前記光バースト信号を２分岐する光分岐器と、
前記光分岐器により分岐された一方の前記光バースト信号を受光し、電気信号に変換する受光器と、
前記電気信号から、前記光バースト信号が各前記第２光入力信号線へ到着したか否かを判定する判定器と、
前記光分岐器により分岐された他方の前記光バースト信号に一定の遅延を加えた上で、前記光スイッチに入力する光遅延線とに接続し、
各前記判定器は、各前記光バースト信号の先頭及び終了を検出し、
前記光スイッチ制御部は、全ての前記判定器の検出に基づき、前記光スイッチの切り替えを制御するものであり、複数の前記光バースト信号が重複した場合、新たな前記光バースト信号の先頭の判定を優先して、該光バースト信号を前記第２出力信号線に転送するように、前記光スイッチの切り替えを制御する
ことを特徴とする、アクティブ光スターカプラ装置。
【請求項４】
前記判定器は、それぞれ、
前記受光器が出力する電気信号の一定期間における積分値を求める手段と、
前記積分値と一定のしきい値との比較を行う手段とを備える
ことを特徴とする、請求項３に記載のアクティブ光スターカプラ装置。
【発明の詳細な説明】
【技術分野】
【０００１】
本発明は、ＰＯＮ（Ｐａｓｓｉｖｅ  Ｏｐｔｉｃａｌ  Ｎｅｔｗｏｒｋ）におけるＯＬＴ（電話局側終端装置）とＯＮＵ（加入者宅側終端装置）とを接続する、アクティブ光スターカプラ装置に関する。
【背景技術】
【０００２】
ＯＬＴと多数のＯＮＵとの間を光スターカプラと光ファイバでスター状に接続し、一本の光ファイバ上で上り方向と下り方向とで波長が異なる光信号を多重化して利用することで経済的な通信を実現する、光通信システムにおいて、アクティブ光スターカプラ装置は、光スターカプラの代わりとして集線に利用されるものである。
【０００３】
集線型の光通信システムの一つとして、光スターカプラを用いたＰＯＮシステムが実用化されている。例えば、ＩＥＥＥで信号方式の詳細が標準化されたＰＯＮシステムとして、ＧＥ‐ＰＯＮ（下記非特許文献１）、１０ＧＥ‐ＰＯＮ（下記非特許文献２）と呼ばれる方式がある。ＰＯＮシステムの動作概要については、例えば下記非特許文献３などに示されている。
【０００４】
ＰＯＮシステムは、多数のＯＮＵから送信された情報を光スターカプラによって集線し、１台のＯＬＴで処理することにより、経済的な光通信システムを実現できることが特徴となっている。以下、従来のＰＯＮシステムについて、図９〜１１を用いて簡単に説明する。
【０００５】
図９は、１台のＯＬＴ１００とＮ台のＯＮＵ３１０〜３Ｎ０とを、光スターカプラ２１を用いて接続した、従来のＰＯＮシステムの構成例を示す概略図である。一般的に、ＯＬＴ１００は通信ビルに設置され、ＯＮＵ３１０〜３Ｎ０はそれぞれの家庭に設置されることが想定されている。
【０００６】
ＯＬＴ１００は、合分波器１０１、光送信機１０２、光受信機１０３、及び、制御部１０４を備えている。また、ＯＮＵ３ｉ０（ｉは１〜Ｎのいずれかの値）は、光受信機３ｉ２、光送信機３ｉ３、合分波器３ｉ１、及び、制御部３ｉ４を備えている。
【０００７】
ＯＬＴ１００とＯＮＵ３１０〜３Ｎ０とは、光ファイバ２１０、光スターカプラ２１、及び、光ファイバ２１１〜２１Ｎを介して接続されている。
【０００８】
光ファイバ２１０〜２１Ｎでは、ＯＬＴ１００からＯＮＵ３１０〜３Ｎ０に向かう下り方向の光信号（下り信号）と、ＯＮＵ３１０〜３Ｎ０からＯＬＴ１００に向かう上り方向の光信号（上り信号）とが、異なる波長で逆向きに伝送される。
【０００９】
以下、従来のＰＯＮシステムの下り方向の通信方法について説明する。
【００１０】
図１０は、合分波器１０１を介して出力された光信号４０が、光スターカプラ２１において、Ｎ本の光ファイバ２１１〜２１Ｎ上の光信号４１〜４Ｎに分割された様子を示す概略図である。
【００１１】
下り方向については、ＯＬＴ１００からＯＮＵ３１０〜３Ｎ０の全て又は個々へ送信したい情報は、全て連続した光信号として、光送信機１０２から送信される。なお、この下り信号かつ連続した光信号を、光信号４０とする。
【００１２】
光送信機１０２から送信された光信号４０は、合分波器１０１を介して光ファイバ２１０を通って光スターカプラ２１に入力される。光スターカプラ２１は、入力された光信号４０をＮ本の光ファイバ２１１〜２１Ｎに分岐して送信する。
【００１３】
スターカプラ２１によって分割された光信号４１〜４Ｎは、それぞれＯＮＵ３１０〜３Ｎ０に入力される。ＯＮＵ３ｉ０に入力された光信号４ｉは、合分波器３ｉ１により分波され、光受信機３ｉ２に入力される。光受信機３ｉ２は、光信号４ｉを受信した上で、自らのＯＮＵ３ｉ０宛の情報、及び、全ＯＮＵ３１０〜３Ｎ０宛の情報を選択し処理を行う。
【００１４】
なお、光信号４１〜４Ｎは、入力された光信号４０と比べ、時間的変化が完全にコピーされる一方、強度が１／Ｎとなる。
以上が、従来のＰＯＮシステムの下り方向の通信方法である。
【００１５】
以下、従来のＰＯＮシステムの上り方向の通信方法について説明する。
【００１６】
図１１は、各ＯＮＵ３１０〜３Ｎ０が出力した光信号５１〜５Ｎが、光スターカプラ２１によって多重化され、光信号５０として出力される様子を示す概略図である。
【００１７】
上り方向については、ＯＮＵ３ｉ０からＯＬＴ１００に送信したい情報が、光送信機３ｉ３から独立した光バースト信号として送信される。なお、この上り信号かつ光バースト信号を、光信号５０とする。
【００１８】
光送信機３ｉ３から送信された光信号５ｉは、合分波器３ｉ１を介して光ファイバ２１ｉを通って光スターカプラ２１に入力される。光スターカプラ２１は、光ファイバ２１１〜２１ＮのＮ本の光ファイバから入力された光信号５１〜５Ｎを多重化した上で、光ファイバ２１０に出力する。
【００１９】
なお、光スターカプラ２１の光学的性質により、光信号５０については、光信号５１〜５Ｎが各々１／Ｎの強度となるように多重化されたものとなる。
【００２０】
ＯＬＴ１００に入力された光信号５０は、合分波器１０１により分波され、光受信機１０３に入力される。光受信機１０３は、光信号５０を受信した上で、各ＯＮＵ３１０〜３Ｎ０から送られた情報を処理する。
【００２１】
しかしながら、上述のように光信号５１〜５Ｎが光信号５０として光スターカプラ２１から出力されるとき、各光信号５１〜５Ｎが時間的に重なってしまうと、光受信機１０３では、各ＯＮＵ３１０〜３Ｎ０からの情報を正しく入力することができない。
【００２２】
そこで、ＰＯＮシステムにおいては、各ＯＮＵ３１０〜３Ｎ０が送信した光信号５１〜５Ｎが、光スターカプラ２１によって、一定のガードタイム以上の間隔を空けた光バースト信号の列として多重化されるように、各ＯＮＵ３１０〜３Ｎ０からの光信号５１〜５Ｎの送信タイミングを調整する手段が備えられている。
【００２３】
詳細な手順は下記非特許文献１，２で規定されているが、ＯＬＴ１００の制御部１０４と、各ＯＮＵ３１０〜３Ｎ０の制御部３１４〜３Ｎ４とが、下り方向及び上り方向の通信方法を利用して情報交換を行うことで、制御部１０４と制御部３１４〜３Ｎ４とが同期して動作することを可能としている。
【００２４】
さらに、各ＯＮＵ３１０〜３Ｎ０からの上り方向の光信号５１〜５Ｎが光スターカプラ２１に同時に到着しないように、光信号５１〜５Ｎの送信タイミングをＯＬＴ１００から通知することが可能としている。
以上が、従来のＰＯＮシステムの上り方向の通信方法である。
【先行技術文献】
【非特許文献】
【００２５】
【非特許文献１】ＩＥＥＥ８０２．３ａｈ‐２００４
【非特許文献２】ＩＥＥＥ８０２．３ａｖ‐２００９
【非特許文献３】ＮＴＴ技術ジャーナル２００５年８月、ｐ．７１‐７４、技術基礎講座［ＧＥ‐ＰＯＮ技術］
【発明の概要】
【発明が解決しようとする課題】
【００２６】
ここで、図１２は、従来のＰＯＮシステムにおいて、光スターカプラを多段接続した様子を示す概略図である。
【００２７】
上述した従来のＰＯＮシステムにおいて、１台のＯＬＴでより多数のＯＮＵに対応することができれば、システムの経済性を高めることができる。このため、図１２に示すように、光スターカプラ２Ｍを多段接続することにより、より多くのＯＮＵ３１０〜３Ｎ０を収容することが行われている。
【００２８】
技術の進展によりＰＯＮシステムで用いられる光送信機及び光受信機の通信速度が向上する一方で、各家庭から送信する情報量の増加が少ない場合には、ＯＮＵの収容数が増加しても、各ＯＮＵに必要な通信帯域は十分確保できる。
【００２９】
しかし、上述のように、光スターカプラ２０〜２Ｍを用いて、Ｎ本の光信号を分岐又は多重化すると、各光信号の強度は１／Ｎに減少する。
【００３０】
したがって、光スターカプラ２０〜２Ｍを利用して分岐数を増やしていくと、分岐数の増加に伴い光信号の強度が弱くなり、光受信機１０３及び光受信機３１２〜３Ｎ２に入力される光信号が、最小受光感度（光受信機１０３及び光受信機３１２〜３Ｎ２が正しく情報を受信するために必要な最低限の光信号の強度）を下回ってしまう。
【００３１】
そこで、分岐された下り方向の下り信号（光信号４１〜４Ｎ）、及び、多重化された上り方向の上り信号（光信号５０）の強度が、受光感度を維持する（最小受光感度以上を維持する）範囲内での最大の光分岐数、すなわち、最大のＯＮＵ収容数には、一定の限界が定まることになる。
【００３２】
上述のようなＰＯＮシステムにおいて、受光感度の限界の分岐数を超えて、さらなるＯＮＵ収容数の拡大を行うための方法としては、光信号の強度を増大させることが考えられる。
【００３３】
具体的には、光送信機１０２及び光送信機３１３〜３Ｎ３における光源の出力強度を増大する方法や、光増幅器を用い、光信号の強度を増大させる方法が挙げられる。
【００３４】
ここで、下り方向については、ＯＬＴ１１０の光送信機１０２は一つだけであることから、光送信機１０２の出力強度を増大する、あるいは、光送信機１０２と合分波器１０１との間に光増幅器を１台配置すればよい。すなわち、光増幅器を１台配置するために必要なコスト及びエネルギーの増加は少なく、この方法は現実的な選択肢である。図１２中では、光送信機１０２（図９〜１１）の代わりに、高出力光送信機１０５を用いている様子が示されている。
【００３５】
しかし、上り方向においては、ＯＮＵ３１０〜３Ｎ０の数が多いため、全ＯＮＵ３１０〜３Ｎ０の光送信機３１３〜３Ｎ３の光源に対し、上述のように出力強度を増大する方法を用いるとすると、コスト及びエネルギーの増加は非常に大きくなってしまうという課題がある。
【００３６】
また、上り方向において、上述のように光増幅器を用いる方法を取るとすると、下り方向とは異なり、光スターカプラの上り方向の入力のそれぞれに光増幅器を配置することが必要となり、やはりコスト及びエネルギーの増加は非常に大きくなってしまうという課題がある。
【００３７】
そこで、本発明では、光増幅器などを利用せずに、上り方向の光バースト信号の強度の低下を抑え、従来の光スターカプラの限界以上の分岐数を実現するアクティブ光スターカプラ装置を提供することを目的とする。
【課題を解決するための手段】
【００３８】
上記課題を解決する第１の発明に係るアクティブ光スターカプラ装置は、
１本の第１光入力信号線及びＭ本（Ｍは２以上の任意の整数）の第１光出力信号線を有する光スターカプラと、
Ｍ本の第２光入力信号線及び１本の第２光出力信号線を有する光スイッチと、
各前記第１光出力信号線及び各前記第２光入力信号線にそれぞれ接続されるＭ個の第１合分波器と、
光バースト信号の送信タイミングを決定し、該光バースト信号が前記光スイッチに到達する時刻を算出するＯＬＴ制御部において算出された前記時刻に基づき、各前記第２光入力信号線に到着する前記光バースト信号のタイミングに合わせて前記光スイッチを制御する光スイッチ制御部とを備える
ことを特徴とする。
【００３９】
上記課題を解決する第２の発明に係るアクティブ光スターカプラ装置は、
上記第１の発明に係るアクティブ光スターカプラ装置において、
前記第１光入力信号線及び前記第２光出力信号線に接続される第２合分波器を備える
ことを特徴とする。
【００４０】
上記課題を解決する第３の発明に係るアクティブ光スターカプラ装置は、
１本の第１光入力信号線及びＭ本（Ｍは２以上の任意の整数）の第１光出力信号線を有する光スターカプラと、
Ｍ本の第２光入力信号線及び１本の第２光出力信号線を有する光スイッチと、
各前記第１光出力信号線及び各前記第２光入力信号線にそれぞれ接続されるＭ個の第１合分波器と、
各前記第２光入力信号線に到着する光バースト信号のタイミングに合わせて前記光スイッチを制御する光スイッチ制御部とを備え、
各前記第２光入力信号線については、それぞれ、
前記光バースト信号を２分岐する光分岐器と、
前記光分岐器により分岐された一方の前記光バースト信号を受光し、電気信号に変換する受光器と、
前記電気信号から、前記光バースト信号が各前記第２光入力信号線へ到着したか否かを判定する判定器と、
前記光分岐器により分岐された他方の前記光バースト信号に一定の遅延を加えた上で、前記光スイッチに入力する光遅延線とに接続し、
各前記判定器は、各前記光バースト信号の先頭及び終了を検出し、
前記光スイッチ制御部は、全ての前記判定器の検出に基づき、前記光スイッチの切り替えを制御するものであり、複数の前記光バースト信号が重複した場合、新たな前記光バースト信号の先頭の判定を優先して、該光バースト信号を前記第２出力信号線に転送するように、前記光スイッチの切り替えを制御する
ことを特徴とする。
【００４２】
上記課題を解決する第４の発明に係るアクティブ光スターカプラ装置は、
上記第３の発明に係るアクティブ光スターカプラ装置において、
前記判定器は、それぞれ、
前記受光器が出力する電気信号の一定期間における積分値を求める手段と、
前記積分値と一定のしきい値との比較を行う手段とを備える
ことを特徴とする。
【発明の効果】
【００４３】
本発明に係るアクティブ光スターカプラ装置によれば、光増幅器などを利用せずに、上り方向の光バースト信号の強度の低下を抑え、従来の光スターカプラの限界以上の分岐数を実現することができる。
【図面の簡単な説明】
【００４４】
【図１】光集線スイッチを用いてＰＯＮシステムにおける上り信号を多重化した場合の、動作原理を示した概略図である。
【図２】本発明の実施例１に係るアクティブ光スターカプラ装置をＯＬＴの内部に備えるＰＯＮシステムの概略図である。
【図３】本発明の実施例２に係るアクティブ光スターカプラ装置をＯＬＴの外部に備えるＰＯＮシステムの概略図である。
【図４】本発明の実施例３に係るアクティブ光スターカプラ装置をＯＬＴの外部に備えるＰＯＮシステムの概略図である。
【図５】自律制御型光集線スイッチの構成を示す概略図である。
【図６】判定器の具体的な判定方法を示すグラフである。
【図７】３つの光入力信号線に、時間的に短い間隔を空けた光バースト信号が到着した場合の受光器及び判定器の出力の例を表したグラフである。
【図８】１６×１６のアクティブ光スターカプラ装置の例を示す概略図である。
【図９】ＯＬＴとＯＮＵとを、光スターカプラを用いて接続した、従来のＰＯＮシステムの構成例を示す概略図である。
【図１０】合分波器を介して出力された光信号が、光スターカプラにおいて、Ｎ本の光ファイバ上の光信号に分割された様子を示す概略図である。
【図１１】各ＯＮＵが出力した光信号が、光スターカプラによって多重化され出力される様子を示す概略図である。
【図１２】従来のＰＯＮシステムにおいて、光スターカプラを多段接続した様子を示す概略図である。
【発明を実施するための形態】
【００４５】
本発明に係るアクティブ光スターカプラは、下り信号については、従来の光スターカプラと同様に光信号を分岐して転送するが、上り信号については、内部の光スイッチを用いて光バースト信号を多重化した上で転送するため、原理的には光バースト信号の強度を減少させずに転送できる。
【００４６】
このため、ＯＬＴの下り信号の強度の増大と組み合わせて、従来の光スターカプラの代わりにアクティブ光スターカプラを用いると、ＯＮＵの上り信号の強度やＯＬＴの最小受光感度を変更することなく、従来以上の分岐数を実現することが可能となり、１台のＯＬＴで、より多くのＯＮＵを収容できる経済的な光通信システムを実現することが可能となる。
【００４７】
すなわち、本発明に係るアクティブ光スターカプラ装置は、ＰＯＮシステムのような光バースト信号を多重化する通信システムにおいて、切り替えタイミングを制御する光集線スイッチを用いて、光バースト信号の光強度を維持したまま多重化することができるものである。これによって、本発明に係るアクティブ光スターカプラ装置では、光増幅器などを利用せずに、経済的に従来のＰＯＮシステムのＯＮＵ収束数の限界を超え、多くのＯＮＵを収容することができる。
【００４８】
図１は、光集線スイッチを用いてＰＯＮシステムにおける上り信号を多重化した場合の、動作原理を示した概略図である。以下、光集線スイッチを用いてＰＯＮシステムにおける上り信号を多重化した場合の、動作原理を説明する。
【００４９】
まず、各ＯＮＵ３１０〜３Ｎ０の送信タイミングを制御することにより、全ての光信号（上り信号）６１〜６Ｎは、ずれたタイミングで光スイッチ８０に到着する。
【００５０】
ここで、光集線スイッチ９０は、光スイッチ８０及び光スイッチ制御部８１を有するものである。
【００５１】
光スイッチ制御部８１は、各光信号６１〜６Ｎが到着するタイミングに合わせて、光スイッチ８０の切り替えを制御する。また、光スイッチ８０は、光スイッチ制御部８１の制御により、到着した光信号６１〜６Ｎを多重化して光信号（上り信号かつ光バースト信号）６０として出力する。
【００５２】
従来の光スターカプラを用いた光信号の多重化では、非常に性能の良い光スターカプラを利用したとしても、原理的に強度が１／Ｎになるが、上述のように光集線スイッチ９０を用いて多重化すると、接続された入力ファイバと出力ファイバとの間の原理的な損失は０となる。
【００５３】
すなわち、光集線スイッチ９０を用いて多重化した場合においては、光信号６１〜６Ｎは、入力された際の強度を保った状態のまま、光信号６０として多重化され、ＯＬＴ１００へ転送される。
【００５４】
実際の光スイッチ８０は、デバイス自体が持つ損失が存在するが、原理的な損失は０であるため、分岐数が多ければ、従来の光スターカプラと比べ、十分に小さい損失の光スイッチを実現することができる。
【００５５】
ＰＯＮシステムでは、下り信号及び上り信号の両方について考慮する必要があるが、上述したように、下り方向については、光信号の強度を増大させる（ＯＬＴ１００の送信側の光源（光送信機）の送信パワー増大を行う）ことは容易である。
【００５６】
よって、本発明に係るアクティブ光スターカプラ装置では、下り信号の分岐を行う光スターカプラと、上り方向の光バースト信号を多重化する光スイッチとを組み合わせることにより、上り方向の光バースト信号の強度の低下を抑え、従来の光スターカプラの限界以上の分岐数を実現することができるものである。
【００５７】
以下、本発明に係るアクティブ光スターカプラ装置を各実施例にて図面を用いて説明する。
【００５８】
［実施例１］
本発明の実施例１に係るアクティブ光スターカプラ装置の装置構成について、図２を用いて説明する。図２は、本発明の実施例１に係るアクティブ光スターカプラ装置（アクティブ光スターカプラ装置９００）をＯＬＴの内部に備えることで、ＯＮＵ収容数が増大した、ＰＯＮシステムの概略図である。
【００５９】
図２のアクティブ光スターカプラ装置９００を用いたＰＯＮシステムでは、下り方向については、ＯＬＴ１２０の光送信機の光源の出力増大を行い、上り方向については、光集線スイッチ９０による光バースト信号の多重化を行う方法を用いている。
【００６０】
すなわち、図２のＰＯＮシステムでは、ＯＬＴ１２０の内部に、光受信機１０３、制御部１０４、及び、アクティブ光スターカプラ装置９００を備え、さらに、ＯＬＴ１２０の光送信機として高出力光送信機１０５を備えている。
【００６１】
ここで、高出力光送信機１０５は、光源の出力強度（光信号の強度）が、従来の光送信機のＭ倍であるものとする。
【００６２】
また、アクティブ光スターカプラ装置９００は、光スターカプラ８５、光集線スイッチ９０、及び、合分波器９１〜９Ｍを備えている。
【００６３】
光スターカプラ８５は、１本の光入力信号線（光ファイバ）８５０及びＭ本（Ｍは２以上の任意の整数）の光出力信号線（光ファイバ）９１１〜９Ｍ１を有し、下り信号を分岐するものである。なお、光入力信号線８５０の他方には、高出力光送信機１０５が接続されている。
【００６４】
合分波器９１〜９Ｍは、光スターカプラ８５の各光出力信号線９１１〜９Ｍ１と、光スイッチ８０の各光入力信号線（光ファイバ）９１２〜９Ｍ２とに接続されている。
【００６５】
光集線スイッチ９０は、光スイッチ８０及び光スイッチ制御部８１を有するものである。
【００６６】
光スイッチ８０は、Ｍ本の光入力信号線９１２〜９Ｍ２及び１本の光出力信号線（光ファイバ）８００を有し、光ファイバ９１２〜９Ｍ２から到着する上り信号（光バースト信号）を多重化し、光出力信号線８００を通じて光受信機１０３へ出力する。
【００６７】
光スイッチ制御部８１は、各光入力信号線９１２〜９Ｍ２に到着する上り信号のタイミングに合わせて、光スイッチ８０の切り替えを、信号線８２を通じて制御するものである。
【００６８】
また、光スイッチ制御部８１は、制御部１０４と信号線８４により繋がっており、光スイッチ８０に上り信号が到着するタイミングに関する情報を、ＯＬＴ１２０の制御部１０４から得ている。
【００６９】
すなわち、上述したように、各ＯＮＵ３１０〜３Ｎ０の上り信号（光バースト信号）の送信タイミングは、ＯＬＴ１２０の制御部１０４が決定している。
【００７０】
したがって、ＯＬＴ１２０の制御部１０４は、内部の演算処理を改良することで、各ＯＮＵ３１０〜３Ｎ０が送信した上り信号（光バースト信号）が光スイッチ８０に到達する時刻を算出することが可能であり、その結果を、光スイッチ８０を制御するタイミング情報として、信号線８４を通じて光スイッチ制御部８１に伝えることが可能となる。
【００７１】
以下、本発明の実施例１に係るアクティブ光スターカプラ装置を用いたＰＯＮシステムの動作について、詳述する。
【００７２】
まず、下り信号について説明する。
高出力光送信機１０５から出力された光信号（下り信号）が、光ファイバ８５０を通じてアクティブ光スターカプラ装置９００に入力されると、光スターカプラ（スプリッタ）８５においてＭ本に分岐され、光ファイバ９１１〜９Ｍ１を通じて合分波器９１〜９Ｍに入力される。
【００７３】
このとき、Ｍ本に分岐された後の各光信号の強度は、通常の光送信機（図９〜１１及び１における光送信機１０２）と同程度の強度となる。
【００７４】
Ｍ本に分岐された下り信号は、合分波器９１〜９Ｍを介して、各光スターカプラ（スプリッタ）２１〜２Ｍに入力される。その後は、光スターカプラ２１〜２Ｍごとに、図１０における光信号４１〜４Ｎと同様の動作となる。
以上が、下り信号についての説明である。
【００７５】
次に、上り信号について説明する。
各ＯＮＵ３１０〜３Ｎ０から出力された光信号（上り信号）が、各光ファイバ２１１〜２ＭＮ，２１０〜２Ｍ０を通じ、光スターカプラ２１〜２Ｍを介して、アクティブ光スターカプラ装置９００に入力されると、各合分波器９１〜９Ｍによって、上り信号が分波され、光ファイバ９１２〜９Ｍ２を通じて光集線スイッチ９０内の光スイッチ８０に入力される。
【００７６】
光スイッチ８０は光スイッチ制御部８１によって切り替えを制御されるが、この光スイッチ制御部８１は、各光ファイバ９１２〜９Ｍ２に上り信号が到着するタイミング情報をＯＬＴ１２０の制御部１０４から得ている。
【００７７】
上述したように、各ＯＮＵ３１０〜３Ｎ０の上り信号の送信タイミングは、ＯＬＴ１２０の制御部１０４が決定している。
【００７８】
したがって、ＯＬＴ１２０の制御部１０４は、内部の演算処理を改良することで、各ＯＮＵ３１０〜３Ｎ０が送信した上り信号が光スイッチ８０に到達する時刻を算出することが可能であり、その結果を、光スイッチ８０を制御するタイミング情報として、信号線８４を通じて光スイッチ制御部８１に伝えることが可能である。
【００７９】
光スイッチ８０は、上り信号の到着タイミングに合わせて切り替えを行うことが可能となり、光スターカプラ２１〜２Ｍから入力された上り信号を多重化して、光ファイバ８００を通じて光受信機１０３出力する。このとき、上り信号の光強度は、原理的には光スイッチ８０に入力された強度を維持して転送される。
【００８０】
なお、光受信機１０３に入力された上り信号は、以後、図１１と同様に受信処理が行われる。
以上が、上り信号についての説明である。
【００８１】
なお、上述したアクティブ光スターカプラ装置９００内の光スターカプラ８５及び合分波器９１〜９Ｍについては、石英材料を用いた集積化光回路上に製造することが可能であり、これと光スイッチ（高速光スイッチ）８０を組み合わせることにより、アクティブ光スターカプラ装置を経済的に実現することが可能となる。
【００８２】
以上、本発明の実施例１に係るアクティブ光スターカプラ装置について説明したが、換言すれば、本発明の実施例１に係るアクティブ光スターカプラ装置は、１本の第１光入力信号線（光入力信号線８５０）及びＭ本（Ｍは２以上の任意の整数）の第１光出力信号線（光出力信号線９１１〜９Ｍ１）を有する光スターカプラ８５と、Ｍ本の第２光入力信号線（光入力信号線９１２〜９Ｍ２）及び１本の第２光出力信号線（光出力信号線８００）を有する光スイッチ８０と、各第１光出力信号線及び各第２光入力信号線にそれぞれ接続されるＭ個の第１合分波器（合分波器９１〜９Ｍ）と、各第２光入力信号線に到着する光バースト信号のタイミングに合わせて光スイッチ８０を制御する光スイッチ制御部とを備えるものである。
【００８３】
［実施例２］
本発明の実施例２に係るアクティブ光スターカプラ装置の装置構成について、図３を用いて説明する。図３は、本発明の実施例２に係るアクティブ光スターカプラ装置（アクティブ光スターカプラ装置９１０）をＯＬＴの外部に備えるＰＯＮシステムの概略図である。
【００８４】
図３のアクティブ光スターカプラ装置９１０を用いたＰＯＮシステムでは、ＯＬＴ１３０の内部に、光受信機１０３、制御部１０４、及び、高出力光送信機１０５を備え、さらに、高出力光送信機１０５からアクティブ光スターカプラ装置９１０への出力信号と、アクティブ光スターカプラ装置９１０から光受信機１０３への入力信号とを多重分離する、合分波器１０１を備えている。
【００８５】
また、アクティブ光スターカプラ装置９１０は、実施例１と同様に、光スターカプラ８５、光集線スイッチ９０、合分波器８３、及び、合分波器９１〜９Ｍを備えている。さらに、アクティブ光スターカプラ装置９１０は、光スターカプラ８５の光入力信号線８５０を通る下り信号と、光スイッチ８０の光出力信号線８００を通る上り信号とを多重分離する、合分波器８３を備えている。
【００８６】
また、図３のＰＯＮシステムでは、光スイッチ制御部８１は、ＯＬＴ１３０の制御部１０４と信号線８４で繋がっており、アクティブ光スターカプラ装置９１０の光スイッチ８１の切り替えを制御するための上り信号（光バースト信号）の到着するタイミングに関する情報をＯＬＴ１３０の制御部１０４から得ている。
【００８７】
上記構成とすることで、アクティブ光スターカプラ装置９１０は、ＯＬＴ１３０の外部に配置することができ、光信号については、従来の光スターカプラと同様に、１本の光ファイバ８３０によってＯＬＴ１３０との間で送受信することができるため、ＯＬＴ１３０へのアクティブ光スターカプラ装置９００の配置に関する自由度が増大する。
【００８８】
また、ＯＬＴ１３０の改造も制御部１０４の演算処理の変更のみとなるため、従来のＰＯＮシステムからの変更が少なく、アクティブ光スターカプラ装置９１０の導入が容易になる。
【００８９】
ただし、図３のアクティブ光スターカプラ装置９１０は、信号線８４によってＯＬＴ１３０と結ばれているため、光スイッチ８０を上り信号が到着するタイミングに精度よく合わせて制御するためには、信号線８４の長さに十分に配慮する必要がある。
【００９０】
以上、本発明の実施例２に係るアクティブ光スターカプラ装置について説明したが、換言すれば、本発明の実施例２に係るアクティブ光スターカプラ装置は、第１光入力信号線（光入力信号線８５０）及び第２光出力信号線（光出力信号線８００）に接続される第２合分波器（合分波器８３）を備えることで、ＯＬＴ１３０の外部に設置することができるものである。
【００９１】
［実施例３］
本発明の実施例３に係るアクティブ光スターカプラ装置の装置構成について、図４を用いて説明する。図４は、本発明の実施例３に係るアクティブ光スターカプラ装置（アクティブ光スターカプラ装置９２０）をＯＬＴの外部に備えるＰＯＮシステムの概略図である。
【００９２】
図４のアクティブ光スターカプラ装置９２０を用いたＰＯＮシステムでは、下り信号及び上り信号の流れについては実施例２と同様であり、光スイッチ制御部に入力する上り信号（光バースト信号）の到着情報を生成する手段が異なる構成となっている。
【００９３】
図４に示すアクティブ光スターカプラ装置９２０は、実施例２と同様に、光スターカプラ８５、合分波器８３、及び、合分波器９１〜９Ｍを備えている。さらに、アクティブ光スターカプラ装置９２０は、実施例２における光集線スイッチ９０に代えて、自律制御型光集線スイッチ８６を備えている。
【００９４】
自律制御型光集線スイッチ８６は、実施例２のように、光スイッチ８０の切り替えを制御するための上り信号の到着するタイミングに関する情報を、ＯＬＴ１３０の制御部から得るのではなく、自律制御型光集線スイッチ８６に接続された光入力信号線９１２〜９Ｍ２に光バースト信号が到達したかどうかを監視する手段を備えることで、自律的に後述の光スイッチ８０を制御する構成となっている。
【００９５】
上記構成においては、ＯＬＴ１３０の制御部１０４からの制御信号（上述の、光スイッチ８０の切り替えを制御するための上り信号の到着するタイミングに関する情報）が不要であることから、信号線８４を設けないため、ＯＬＴ１３０から任意の位置に配置することができる。すなわち、配置に関する自由度がさらに増大する。
【００９６】
しかも、上り信号の損失を、同等の分岐数の光スターカプラよりも小さくできるため、大規模な光分岐を実現するために利用することができ、より多くのＯＮＵを収容する経済的なＰＯＮシステムを実現することができる。
【００９７】
ここで、自律的に光スイッチ８０の制御を行う手段を備えた自律制御型光集線スイッチ８６の構成を図５に示す。
【００９８】
自律制御型光集線スイッチ８６は、Ｍ本の光入力信号線９１２〜９Ｍ２、及び、１本の光出力信号線（光ファイバ）８００を有している。また、内部には、光スイッチ８０及び光スイッチ制御部８１を備えており、さらに、光分岐器８０２１〜８０２Ｍ、受光器８０４１〜８０４Ｍ、判定器８０６１〜８０６Ｍ、光遅延線（光ファイバ）８０８１〜８０８Ｍ、光信号線（光ファイバ）８０３１〜８０３Ｍ、信号線８２、信号線８０５１〜８０５Ｍ、及び、信号線８０７１〜８０７Ｍを備えている。
【００９９】
自律制御型光集線スイッチ８６の内部において、各光入力信号線９１２〜９Ｍ２には、光分岐器８０２１〜８０２Ｍ、受光器８０４１〜８０４Ｍ、判定器８０６１〜８０６Ｍ、光遅延線８０８１〜８０８Ｍ、光信号線８０３１〜８０３Ｍ、信号線８０５１〜８０５Ｍ、信号線８０７１〜８０７Ｍ、及び、信号線８２が、それぞれ接続されている。なお、光出力信号線８００は、光スイッチ８０に接続されている。
【０１００】
光分岐器８０２１〜８０２Ｍは、光入力信号線９１２〜９Ｍ２からの上り信号（光バースト信号）を２分岐し、一方の出力は、光遅延線８０８１〜８０８Ｍを介して光スイッチ８０に入力される。光分岐器８０２１〜８０２Ｍの他方の出力は、光信号線８０３１〜８０３Ｍを介して受光器８０４１〜８０４Ｍに入力される。
【０１０１】
受光器８０４１〜８０４Ｍは、光分岐器８０２１〜８０２Ｍから光信号線８０３１〜８０３Ｍを介して分岐された一方の上り信号を受光し、該上り信号を電気信号に変換し、該電気信号を判定器８０６１〜８０６Ｍに出力する。
【０１０２】
判定器８０６１〜８０６Ｍは、受光器８０４１〜８０４Ｍから、信号線８０５１〜８０５Ｍを介して入力した電気信号を基に、上り信号が光入力信号線（光入力信号線９１２〜９Ｍ２）へ到着したか否かを判定し、判定結果を信号線８０７１〜８０７Ｍを介して光スイッチ制御部８１へ出力する。
【０１０３】
光遅延線８０８１〜８０８Ｍは、その長さが延長されていることで、光分岐器８０２１〜８０２Ｍの一方の出力の上り信号に一定の遅延を加え、光スイッチ８０に出力する。
【０１０４】
光スイッチ制御部８１は、全判定器８０６１〜８０６Ｍからの該出力信号に基づき光スイッチ８０の切り替えを制御する。
【０１０５】
以下、この自律制御型光集線スイッチ８６の動作について説明する。
【０１０６】
まず、光分岐器８０２ｉ（ｉ＝１〜Ｍ）は、外部からの光入力信号線９ｉ２から入力された上り信号を分岐し、光遅延線８０８ｉと光信号線８０３ｉに出力する。その際、大半の上り信号が光遅延線８０８ｉ側に出力されるような分岐比で出力するものとする。
【０１０７】
光信号線８０３ｉに出力された上り信号は、受光器８０４ｉに入力され、電気信号に変換される。なお、該電気信号は、上り信号内の情報を受信するためではなく、上り信号の存在を検知するためにのみ利用されるため、受光器８０４ｉには、上り信号のビットレートよりも遅い信号帯域を持つ安価な受光器を用いるようにしてもよい。
【０１０８】
受光器８０４ｉが出力した電気信号は、信号線８０５ｉを経由して判定器８０６ｉに入力される。
【０１０９】
判定器８０６ｉは、入力された電気信号から、光入力信号線９ｉ２に上り信号が到着していると判定される場合には１を、上り信号が入力されていないと判定された場合には０を出力する。ここで、判定器８０６ｉは、上り信号（光バースト信号）の先頭ビットを受信すると、できるだけ速やかにこれを検出することが望ましい。
【０１１０】
また、判定器８０６ｉは、上り信号（光バースト信号）内には様々なパターンのビット列が現れ、０ビットがいくつか連続することも考慮した上で、上り信号が継続中であること、及び、上り信号が終了したことを判定する。
【０１１１】
ここで、判定器８０６１〜８０６Ｍは、受光器８０４１〜８０４Ｍから出力された電気信号の一定期間における積分値を求める積分手段と、その積分値と一定のしきい値との比較を行う比較手段とを備えるものとしてもよい。以下、判定器８０６ｉによる判定手順を説明する。
【０１１２】
図６は、判定器８０６ｉの具体的な判定方法を示すグラフである。上り信号を受信した受光器８０４ｉから判定器８０６ｉへの出力（電気信号）が、図６（ａ）に示すような値であった場合、これを判定器８０６ｉ内で積分したときの値を図６（ｂ）に示す。
【０１１３】
受光器８０４ｉの出力が正であれば積分値は大きく増大し、受光器８０４ｉからの出力が０であれば、積分値は少しずつ減少する。
【０１１４】
ここで、図６（ｂ）に示すように、判定器８０６ｉに一定の判定しきい値を設け、時間的に変化する積分値に対して、該判定しきい値との比較を行い、図６（ｃ）に示すように、積分値がこのしきい値を超えれば出力が１となり、そうでなければ０を出力するようにする。
【０１１５】
このようにして、判定器８０６ｉは、光入力信号線９ｉ２に上り信号が到着している間のみ、１を出力するものとなっている。
【０１１６】
ただし、上記動作について、詳細に分析すると、上り信号の先頭を判定するまでの遅れ時間をｔ１、上り信号の終了を判定するまでの遅れ時間をｔ２とする（図６（ｃ））と、上り信号の終了の判定には、一定の０入力が継続するのを待つ必要があることから時間がかかるため、一般的にｔ２＞ｔ１となることに注意する。
【０１１７】
次に、判定器８０６１〜８０６Ｍの出力は、光スイッチ制御部８１に入力され、光スイッチ制御部８１は、上り信号の到着を判定した判定器８０６１〜８０６Ｍに接続された光入力信号線を選択し、光出力信号線８００に接続されるような光スイッチ制御を行う。
【０１１８】
ここで、上り信号が自律制御型光スイッチ８６に到着してから、この情報が受光器８０４１〜８０４Ｍ、及び、判定器８０６１〜８０６Ｍを経由して、光スイッチ制御部８１に伝わり、実際に光スイッチ８０の切り替え制御を完了するまでには、一定の時間がかかる。
【０１１９】
そこで、光遅延線８０８１〜８０８Ｍは、このような制御の遅延を予め考慮した長さに調整されており、光入力信号線９１２〜９Ｍ２から入力された上り信号を一定の時間だけ遅延させることで、光スイッチ８０の切り替え制御が丁度完了したときに上り信号が光スイッチ８０に入力されるようなタイミング調整を実現する。
【０１２０】
なお、図６（ｃ）で示したように、判定器８０６１〜８０６Ｍによる上り信号の終了の検出には、一定の遅延が生じるため、複数の光入力信号線９１２〜９Ｍ２から、時間的に短い間隔で上り信号が到着すると、各光入力信号線９１２〜９Ｍ２に接続された判定器の出力が時間的に重なる場合がある。
【０１２１】
例えば、図７は、３つの光入力信号線９１２〜９３２に、時間的に短い間隔を空けた上り信号（光バースト信号）が到着した場合の受光器８０４１〜８０４３（図７では、第１〜第３受光器と記載）、及び、判定器８０６１〜８０６３（図７では、第１〜第３判定器と記載）の出力の例を表したグラフである。
【０１２２】
上り信号の到着に対して、第１〜第３受光器が図７（ａ）に示すような出力信号を出力した場合に、対応する第１〜第３判定器の出力は図７（ｂ）に示すような時間変化となる。
【０１２３】
すなわち、実際の上り信号は、時間的に重なりなく到着しているにもかかわらず、光バースト信号終了時の判定遅延ｔ２が、上り信号開始時の判定遅延ｔ１に比べて長いため、第１〜第３判定器の出力が重なってしまうことになる。
【０１２４】
そこで、光スイッチ制御部８１は、第１〜第３判定器の出力が重なった場合、新たな上り信号の到着の判定を優先し、第１〜第３の各判定器が、新たな上り信号の先頭を検出した時点（図７（ｂ）のＡ１，Ａ２，Ａ３）で、それぞれ対応する光入力信号線（図５においては、光遅延線８０８１〜８０８Ｎを有する光入力信号線９１２〜９Ｍ２）に、光スイッチ８０を切り替える制御を行うこととする。
【０１２５】
換言すれば、光スイッチ制御部８１は、各判定器８０６１〜８０６Ｍが、新たに上り信号（光バースト信号）の先頭が各第２光入力信号線（光入力信号線９１２〜９Ｍ２）へ到着したと判定する度に、該上り信号（光バースト信号）を第２出力信号線（光出力信号線８００）に転送するように、光スイッチ８０の切り替えを制御するものである。
【０１２６】
上記制御を行うことで、０ビットが多く続く可能性があるような上り信号に対して、一度上り信号が終了した上で新たな上り信号が到着したとの誤判定を行わないために、光バースト信号の終了時の判定に十分に時間をかけるような設定が可能となり、常に、実際に新たな上り信号が到着したことを正確に判定して、光スイッチ８０の切り替えを高精度に制御することが可能となる。
【０１２７】
以上、本発明に係るアクティブ光スターカプラ装置を、各実施例を用いて説明したが、上述の説明においては、光デバイスが理想的なものとして、原理的な損失の減少に関する説明を行った。
【０１２８】
ここで、本発明に係るアクティブ光スターカプラ装置を、ある程度の過剰損失を持つ現実的な光デバイスを用いて構成した場合の、損失に関する試算例を示す。
【０１２９】
例えば、４×４の光スターカプラと他の光スターカプラの組み合わせによって、標準的なＰＯＮシステムによる最大数のＯＮＵを収容している場合を想定し、この４×４の光スターカプラを１６×１６の本発明に係るアクティブ光スターカプラ装置に変更し、ＯＮＵの最大収容数を４倍に増大させることを考える。
【０１３０】
まず、従来の４×４の光スターカプラについては、原理的な損失が６ｄＢであるが、過剰損失を１ｄＢ程度と考えれば、７ｄＢ程度の損失を見込んだシステム構成となっている。
【０１３１】
次に、１６×１６の光スターカプラ８５、１５個の２×２の光スイッチ８０、１６個の光分岐器８０２１、１６本の光遅延線７０、及び、１７個の合分波器（合分波器８３及び１６個の合分波器９１）を用いた、１６×１６の本発明に係るアクティブ光スターカプラ装置を、図８に示す。ただし、図８では、光分岐器８０２１、光遅延線７０、及び、合分波器９１については、それぞれ一部のみを記載している。
【０１３２】
図８に示した光デバイス（１６×１６の本発明に係るアクティブ光スターカプラ装置）のうち、合分波器８３、合分波器９１、光分岐器８０２１、及び、光スターカプラ８５は、石英系材料を用いた平面光導波路回路技術によって、非常に性能のよい光集積回路として、実現できることが知られている。
【０１３３】
例えば、図８において、ＯＬＴ１３０側の合分波器８３及び光スターカプラ８５を第１光集積回路として、また、光分岐器８０２１及びＯＮＵ側の合分波器９１を第２光集積回路として、それぞれ実現することが可能である。
【０１３４】
また、１５個の光スイッチ８０については、例えば、ＩｎＰ系の光半導体デバイス技術を用いれば集積化が可能であり、これを第３光集積回路として実現することが可能である。
【０１３５】
このような構成において、第１光集積回路では、下り方向では、光スターカプラ８５の原理的損失１２ｄＢに過剰損失１ｄＢを加えた１３ｄＢ程度、上り方向では、原理的に損失０の合分波器１を通過するのみであり、過剰損失は１ｄＢ程度と考えられる。
【０１３６】
第２光集積回路では、上り方向の光信号は図８に示すとおり４個の光スイッチ８０を通過するが、１個の光スイッチが１ｄＢ程度の過剰損失で実現できると見込むと、４ｄＢ程度の損失で実現できる。
【０１３７】
第３光集積回路では、下り方向については原理的損失０の合分波器９１を通過するのみであり、過剰損失１ｄＢ程度と考えられる。上り方向については、例えば、光分岐器９１ａが、光スイッチ方向：受光器方向＝４：１の比率で光信号を分岐する場合、原理的損失が約１ｄＢであり、これに１ｄＢ程度の過剰損失を見込むと、合計２ｄＢ程度の損失になると考えられる。
【０１３８】
なお、光遅延線７０については、非常に短い光ファイバであるため、損失を見込まない。
【０１３９】
上記をまとめると、図８の本発明に係るアクティブ光スターカプラ装置における、下り方向の損失は合計１４ｄＢ程度、上り方向の損失は合計７ｄＢ程度となる。
【０１４０】
以上のことから、１６×１６の本発明に係るアクティブ光スターカプラ装置は、従来の４×４の光スターカプラと比べ、分岐数が大きく増加しているにもかかわらず、上り方向については、従来の４×４の光スターカプラと同等の損失に抑えることができ、下り方向については、従来の４×４の光スターカプラに対して７ｄＢ程度の損失増加で済むことがわかる。
【０１４１】
したがって、従来の４×４の光スターカプラを、１６×１６の本発明に係るアクティブ光スターカプラ装置に置き換えるに際して、必要なシステムの変更は、ＯＬＴ１３０の光送信機の光源の送信出力を７ｄＢ程度増大させることのみである。
【０１４２】
したがって、本発明に係るアクティブ光スターカプラ装置は、多数の分岐を行っても、上り信号については、通常の光スターカプラに対して、光強度の減少が非常に小さい光バースト信号の多重信号を出力することができるため、ＰＯＮシステムのような集線型光通信システムにおいて、１台のＯＬＴでより多くのＯＮＵを収容する経済的な光通信システムの実現に非常に大きな効果がある。
【産業上の利用可能性】
【０１４３】
本発明は、アクティブ光スターカプラ装置として好適である。
【符号の説明】
【０１４４】
２０〜２Ｍ，８５  光スターカプラ
４０〜４Ｎ，５０〜５Ｎ，６０〜６Ｎ  光信号
８０  光スイッチ
８１  光スイッチ制御部
８２，８４  信号線
８３，９１〜９Ｍ  合分波器
８６  自律制御型光集線スイッチ
９０  光集線スイッチ
１００〜１２０  ＯＬＴ
１０１  合分波器（ＯＬＴ内）
１０２  光送信機（ＯＬＴ内）
１０３  光受信機（ＯＬＴ内）
１０４  制御部（ＯＬＴ内）
１０５  高出力光送信機
２００，２１０〜２１Ｎ，２２１〜２２Ｎ，２Ｍ１〜２ＭＮ  光ファイバ
３１０〜３Ｎ０  ＯＮＵ
３１１〜３Ｎ１  合分波器（ＯＬＴ内）
３１２〜３Ｎ２  光受信機（ＯＬＴ内）
３１３〜３Ｎ３  光送信機（ＯＬＴ内）
３１４〜３Ｎ４  制御部（ＯＬＴ内）
８００  第２光出力信号線（光ファイバ）
８５０  第１光入力信号線（光ファイバ）
９００〜９２０  アクティブ光スターカプラ装置
９１１〜９Ｍ１  第１光出力信号線（光ファイバ）
９１２〜９Ｍ２  第２光入力信号線（光ファイバ）
８０２１〜８０２Ｍ  光分岐器
８０３１〜８０３Ｍ  光信号線（光ファイバ）
８０４１〜８０４Ｍ  受光器
８０５１〜８０５Ｍ，８０７１〜８０７Ｍ  信号線
８０６１〜８０６Ｍ  判定器
８０８１〜８０８Ｍ  光遅延線（光ファイバ）
【図１】
0006306449.tif 000002
【図２】
0006306449.tif 000003
【図３】
0006306449.tif 000004
【図４】
0006306449.tif 000005
【図５】
0006306449.tif 000006
【図６】
0006306449.tif 000007
【図７】
0006306449.tif 000008
【図８】
0006306449.tif 000009
【図９】
0006306449.tif 000010
【図１０】
0006306449.tif 000011
【図１１】
0006306449.tif 000012
【図１２】
0006306449.tif 000013